(57)【要約】  基地局との通信と、端末間（Ｄｅｖｉｃｅ  ｔｏ  Ｄｅｖｉｃｅ：Ｄ２Ｄ）通信と、を行うユーザ端末を含む移動通信システムにおいて、前記ユーザ端末は、前記基地局に対してサウンディング参照信号を送信する。前記サウンディング参照信号の送信に割り当てられた第１の無線リソースの少なくとも一部が、前記Ｄ２Ｄ通信に割り当てられた第２の無線リソースと重複する場合に、前記ユーザ端末は、当該第１の無線リソースにおける前記サウンディング参照信号の送信を停止する。
2014017477.tif 000002
【特許請求の範囲】
【請求項１】
基地局との通信と、端末間（Ｄｅｖｉｃｅ  ｔｏ  Ｄｅｖｉｃｅ：Ｄ２Ｄ）通信と、を行うユーザ端末を含む移動通信システムであって、
前記ユーザ端末は、前記基地局に対してサウンディング参照信号を送信し、
前記サウンディング参照信号の送信に割り当てられた第１の無線リソースの少なくとも一部が、前記Ｄ２Ｄ通信に割り当てられた第２の無線リソースと重複する場合に、前記ユーザ端末は、当該第１の無線リソースにおける前記サウンディング参照信号の送信を停止することを特徴とする移動通信システム。
【請求項２】
前記第１の無線リソースの一部が前記第２の無線リソースと重複する場合に、前記ユーザ端末は、当該第１の無線リソースのうち当該重複する一部のみで前記サウンディング参照信号の送信を停止することを特徴とする請求項１に記載の移動通信システム。
【請求項３】
前記基地局は、周波数方向において前記第１の無線リソースの境界と前記第２の無線リソースの境界とが一致するように、前記第１の無線リソース及び／又は前記第２の無線リソースの割り当てを行うことを特徴とする請求項１に記載の移動通信システム。
【請求項４】
基地局との通信と、端末間（Ｄｅｖｉｃｅ  ｔｏ  Ｄｅｖｉｃｅ：Ｄ２Ｄ）通信と、を行うユーザ端末であって、
前記基地局に対してサウンディング参照信号を送信する送信部を有し、
前記サウンディング参照信号の送信に割り当てられた第１の無線リソースの少なくとも一部が、前記Ｄ２Ｄ通信に割り当てられた第２の無線リソースと重複する場合に、前記送信部は、当該第１の無線リソースにおける前記サウンディング参照信号の送信を停止することを特徴とするユーザ端末。
【請求項５】
基地局との通信と、端末間（Ｄｅｖｉｃｅ  ｔｏ  Ｄｅｖｉｃｅ：Ｄ２Ｄ）通信と、を行うユーザ端末に備えられるプロセッサであって、
前記基地局へのサウンディング参照信号の送信に割り当てられた第１の無線リソースの少なくとも一部が、前記Ｄ２Ｄ通信に割り当てられた第２の無線リソースと重複する場合に、当該第１の無線リソースにおける前記サウンディング参照信号の送信を停止する処理を行うことを特徴とするプロセッサ。
【発明の詳細な説明】
【技術分野】
【０００１】
本発明は、Ｄ２Ｄ通信をサポートする移動通信システムに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で直接的な無線通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ０．３．０」  ２０１２年５月
【発明の概要】
【０００５】
しかしながら、現状の仕様においては、移動通信システムにおける通常の通信（セルラ通信）とＤ２Ｄ通信とを共存させるための仕組みが存在しないという問題がある。
【０００６】
そこで、本発明は、セルラ通信とＤ２Ｄ通信とを適切に共存させることができる移動通信システムを提供する。
【０００７】
一実施形態によれば、基地局との通信と、端末間（Ｄｅｖｉｃｅ  ｔｏ  Ｄｅｖｉｃｅ：Ｄ２Ｄ）通信と、を行うユーザ端末を含む移動通信システムにおいて、前記ユーザ端末は、前記基地局に対してサウンディング参照信号を送信する。前記サウンディング参照信号の送信に割り当てられた第１の無線リソースの少なくとも一部が、前記Ｄ２Ｄ通信に割り当てられた第２の無線リソースと重複する場合に、前記ユーザ端末は、当該第１の無線リソースにおける前記サウンディング参照信号の送信を停止する。
【０００８】
一実施形態によれば、基地局との通信と、端末間（Ｄｅｖｉｃｅ  ｔｏ  Ｄｅｖｉｃｅ：Ｄ２Ｄ）通信と、を行うユーザ端末は、前記基地局に対してサウンディング参照信号を送信する送信部を有する。前記サウンディング参照信号の送信に割り当てられた第１の無線リソースの少なくとも一部が、前記Ｄ２Ｄ通信に割り当てられた第２の無線リソースと重複する場合に、前記送信部は、当該第１の無線リソースにおける前記サウンディング参照信号の送信を停止する。
【０００９】
一実施形態によれば、基地局との通信と、端末間（Ｄｅｖｉｃｅ  ｔｏ  Ｄｅｖｉｃｅ：Ｄ２Ｄ）通信と、を行うユーザ端末に備えられるプロセッサは、前記基地局へのサウンディング参照信号の送信に割り当てられた第１の無線リソースの少なくとも一部が、前記Ｄ２Ｄ通信に割り当てられた第２の無線リソースと重複する場合に、当該第１の無線リソースにおける前記サウンディング参照信号の送信を停止する処理を行う。
【図面の簡単な説明】
【００１０】
【図１】ＬＴＥシステムの構成図である。
【図２】ＵＥのブロック図である。
【図３】ｅＮＢのブロック図である。
【図４】ＬＴＥシステムにおける無線インターフェイスのプロトコルスタック図である。
【図５】ＬＴＥシステムで使用される無線フレームの構成図である。
【図６】ＳＲＳパラメータにおいて設定可能な項目の具体例を説明するための図である。
【図７】セルラ通信におけるデータパスを示す。
【図８】Ｄ２Ｄ通信におけるデータパスを示す。
【図９】Ｄ２Ｄリソースの割り当ての一例を説明するための図である。
【図１０】実施形態に係る動作パターン１を説明するための図である。
【図１１】実施形態に係る動作パターン２を説明するための図である。
【図１２】実施形態に係る動作パターン３を説明するための図である。
【図１３】実施形態に係る動作パターン４を説明するための図である。
【発明を実施するための形態】
【００１１】
（１）実施形態の概要
基地局との通信（すなわち、セルラ通信）と、端末間（Ｄｅｖｉｃｅ  ｔｏ  Ｄｅｖｉｃｅ：Ｄ２Ｄ）通信と、を行うユーザ端末を含む移動通信システムにおいて、前記ユーザ端末は、前記基地局に対してサウンディング参照信号（ＳＲＳ）を送信する。前記サウンディング参照信号の送信に割り当てられた第１の無線リソースの少なくとも一部が、前記Ｄ２Ｄ通信に割り当てられた第２の無線リソースと重複する場合に、前記ユーザ端末は、当該第１の無線リソースにおける前記サウンディング参照信号の送信を停止する。
【００１２】
これにより、サウンディング参照信号の送信に起因して第２の無線リソースが使用不能になることを回避できるので、適切にＤ２Ｄ通信を行うことができる。
【００１３】
また、サウンディング参照信号は、基地局が、第１の無線リソースについてのチャネル特性を推定し、推定したチャネル特性に基づいてセルラ通信の制御を行うための参照信号である。
【００１４】
よって、第１の無線リソースが、Ｄ２Ｄ通信用の第２の無線リソースと重複するのであれば、当該第１の無線リソースについてのチャネル特性を推定する意義は薄い。言い換えると、第２の無線リソースと重複する第１の無線リソースでサウンディング参照信号の送信を停止しても、適切にセルラ通信を行うことができる。
【００１５】
したがって、本実施形態によれば、セルラ通信とＤ２Ｄ通信とを適切に共存させることができる。
【００１６】
前記第１の無線リソースの一部が前記第２の無線リソースと重複する場合に、前記ユーザ端末は、当該第１の無線リソースのうち当該重複する一部のみで前記サウンディング参照信号の送信を停止してもよい。
【００１７】
これにより、第１の無線リソースのうち第２の無線リソースと重複しない部分でサウンディング参照信号を送信できるので、より適切にセルラ通信を行うことができる。
【００１８】
或いは、前記基地局は、周波数方向において前記第１の無線リソースの境界と前記第２の無線リソースの境界とが一致するように、前記第１の無線リソース及び／又は前記第２の無線リソースの割り当てを行ってもよい。
【００１９】
これにより、第１の無線リソースが第２の無線リソースと部分的に重複することを回避できるので、サウンディング参照信号の送信を停止すべき状況となる頻度を下げることができる。
【００２０】
以下において、図面を参照して、３ＧＰＰ規格に準拠して構成されるセルラ移動通信システム（以下、「ＬＴＥシステム」）にＤ２Ｄ通信を導入する場合の実施形態を説明する。
【００２１】
（２）ＬＴＥシステム
図１は、本実施形態に係るＬＴＥシステムの構成図である。
【００２２】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２３】
ＵＥ１００は、移動型の無線通信装置であり、接続を確立したセル（サービングセル）との無線通信を行う。ＵＥ１００はユーザ端末に相当する。
【００２４】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２５】
なお、「セル」は、無線通信エリアの最小単位を示す用語として使用される他に、ＵＥ１００との無線通信を行う機能としても使用される。
【００２６】
ｅＮＢ２００は、例えば、無線リソース管理（ＲＲＭ）機能と、ユーザデータのルーティング機能と、モビリティ制御及びスケジューリングのための測定制御機能と、を有する。
【００２７】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００２８】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００２９】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３０】
ＯＡＭ４００は、オペレータによって管理されるサーバ装置であり、Ｅ−ＵＴＲＡＮ１０の保守及び監視を行う。
【００３１】
次に、ＵＥ１００及びｅＮＢ２００の構成を説明する。
【００３２】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３３】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３４】
アンテナ１０１及び無線送受信機１１０は、レイヤ１の一部に相当し、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３６】
ＧＮＳＳ受信機１３０は、ＵＥ１００の地理的な位置を示す位置情報を得るために、ＧＮＳＳ信号を受信して、受信した信号をプロセッサ１６０に出力する。
【００３７】
バッテリ１４０は、ＵＥ１００の各ブロックに供給すべき電力を蓄える。
【００３８】
メモリ１５０は、プロセッサ１６０によって実行されるプログラムと、プロセッサ１６０による処理に使用される情報と、を記憶する。
【００３９】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。
【００４０】
プロセッサ１６０は、例えば、各種の処理を実行するとともに、後述する各種の通信プロトコルを実行する。プロセッサ１６０が行う処理の詳細については後述する。
【００４１】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００４２】
アンテナ２０１及び無線送受信機２１０は、レイヤ１の一部に相当し、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０によって実行されるプログラムと、プロセッサ２４０による処理に使用される情報と、を記憶する。
【００４５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。
【００４６】
プロセッサ２４０は、例えば、各種の処理を実行すると共に、後述する各種の通信プロトコルを実行する。プロセッサ２４０が行う処理の詳細については後述する。
【００４７】
図４は、ＬＴＥシステムにおける無線インターフェイスのプロトコルスタック図である。
【００４８】
図４に示すように、無線インターフェイスプロトコルは、ＯＳＩ参照モデルのレイヤ１〜レイヤ３に区分されており、レイヤ１は物理（ＰＨＹ）レイヤである。レイヤ２は、複数のサブレイヤにさらに区分されており、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４９】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５０】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５１】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５２】
ＰＤＣＰレイヤは、ヘッダ圧縮・伸張、及び暗号化・復号化を行う。
【００５３】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５４】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５５】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５６】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５７】
例えば、ＵＥ１００に割り当てられる無線リソースのうち、周波数リソースはリソースブロックにより特定され、時間リソースはサブフレームにより特定される。すなわち、ＵＥ１００に割り当てられる無線リソースは、リソースブロック及びサブフレームの組み合わせにより特定できる。
【００５８】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５９】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。具体的には、復調参照信号は、ノーマルＣＰの場合は各スロットの４シンボル目に配置され、拡張ＣＰの場合は各スロットの３シンボル目に配置される。サウンディング参照信号は、サブフレームの最終シンボルに配置される。
【００６０】
（３）サウンディング参照信号（ＳＲＳ）
次に、サウンディング参照信号（ＳＲＳ）について説明する。本実施形態では、主として周期的（Ｐｅｒｉｏｄｉｃ）に送信されるＳＲＳを説明するが、非周期的（Ａｐｅｒｉｏｄｉｃ）に送信されるＳＲＳにも本発明を適用できることに留意すべきである。
【００６１】
ｅＮＢ２００のＲＲＣレイヤは、ＵＥ１００によるＳＲＳの送信用に割り当てる無線リソースであるＳＲＳリソース（第１の無線リソース）を決定し、決定したＳＲＳリソースに関するＳＲＳパラメータを含んだＲＲＣメッセージをＵＥ１００のＲＲＣレイヤに通知する。
【００６２】
図６は、ＳＲＳパラメータにおいて設定可能な項目の具体例を説明するための図である。ここでは、上りリンク周波数帯におけるフレーム構成を図示している。
【００６３】
ｅＮＢ２００が設定可能な項目としては、例えば、ＳＲＳ送信帯域幅、ＳＲＳ送信周期、ＳＲＳホッピング帯域幅、ＳＲＳ送信開始帯域、ＳＲＳ送信電力等がある。ＳＲＳ送信帯域幅とは、ＵＥ１００がＳＲＳを送信する際のＳＲＳの周波数帯域幅である。ＳＲＳ送信周期とは、ＵＥ１００にＳＲＳを送信させる周期である。ＳＲＳホッピング帯域幅とは、上りリンク周波数帯においてＳＲＳの送信を許容する範囲である。ＳＲＳ送信開始帯域とは、ＳＲＳホッピング帯域幅において最初にＳＲＳを送信させる周波数帯域である。ＳＲＳ送信電力とは、ＵＥ１００がＳＲＳを送信する際のＳＲＳの送信電力である。
【００６４】
図６に示すように、サブフレーム毎に、ＳＲＳの送信帯域をホッピングさせることで、広帯域のサウンディングが可能である。すなわち、ＳＲＳホッピング帯域幅内で、ＳＲＳの送信帯域を異ならせつつＳＲＳを繰り返し送信させることにより、ｅＮＢ２００が上りリンク周波数帯全体のチャネル特性を推定できる。
【００６５】
ｅＮＢ２００のＭＡＣレイヤは、ＳＲＳを用いて推定したチャネル特性に基づいて、例えば、ＵＥ１００に割り当てる上りリンクのリソースブロックを決定するスケジューリングと、上りリンクの変調符号化方式（ＭＣＳ）・送信電力を最適化するリンクアダプテーションを行ったりする。
【００６６】
（４）Ｄ２Ｄ通信
次に、ＬＴＥシステムの通常の通信（セルラ通信）とＤ２Ｄ通信とを比較して説明する。
【００６７】
図７は、セルラ通信におけるデータパスを示す。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６８】
図７に示すように、セルラ通信のデータパスはネットワークを経由する。詳細には、ｅＮＢ２００−１、Ｓ−ＧＷ３００、及びｅＮＢ２００−２を経由するデータパスが設定される。
【００６９】
図８は、Ｄ２Ｄ通信におけるデータパスを示す。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。この場合、ＵＥ１００−１及びＵＥ１００−２は、Ｄ２Ｄグループを構成する。
【００７０】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００７１】
図８に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００７２】
ただし、Ｄ２Ｄ通信はＬＴＥシステムの周波数帯域で行われることが想定されており、例えばセルラ通信への干渉を回避するために、ネットワーク（ｅＮＢ２００）の管理下でＤ２Ｄ通信が行われる。
【００７３】
本実施形態では、Ｄ２Ｄ通信はセルラ通信の上りリンク周波数帯において行われる。すなわち、Ｄ２Ｄ通信のための無線リソースであるＤ２Ｄリソース（第２の無線リソース）は、上りリンク周波数帯に含まれる。
【００７４】
ここで、Ｄ２Ｄリソースの割り当ての一例を説明する。ｅＮＢ２００のスケジューラは、動的（Ｄｙｎａｍｉｃ）又は準静的（Ｓｅｍｉ−ｐｅｒｓｉｓｔｅｎｔ）にＤ２Ｄリソースを割り当てて、割り当てたＤ２Ｄリソースを示す下りリンク制御情報（ＤＣＩ）をＰＤＣＣＨ上でＵＥ１００に通知する。
【００７５】
図９は、Ｄ２Ｄリソースの割り当ての一例を説明するための図である。
【００７６】
図９に示すように、ｅＮＢ２００は、上りリンク周波数帯にＤ２Ｄリソースを割り当てる。図９の例では、上りリンク周波数帯における特定のリソースブロック（１又は複数）をＤ２Ｄリソースとして割り当てている。例えば、ＵＥ１００−１及びＵＥ１００−２がＤ２Ｄ通信を行うケースを想定すると、サブフレーム＃０の特定のリソースブロックを用いてＵＥ１００−１によるデータ送信及びＵＥ１００−２によるデータ受信を行う。次いで、サブフレーム＃１の特定のリソースブロックを用いてＵＥ１００−１によるデータ受信及びＵＥ１００−２によるデータ送信を行う。その後、このような動作が繰り返される。
【００７７】
（５）動作
以下において、本実施形態に係る動作を説明する。本実施形態に係るＵＥ１００は、ｅＮＢ２００とのセルラ通信とＤ２Ｄ通信とを併用する。ＵＥ１００は、ｅＮＢ２００に対してＳＲＳを送信する。ＵＥ１００は、ＳＲＳリソースの少なくとも一部が、Ｄ２Ｄリソースと重複する場合に、当該ＳＲＳリソースにおけるＳＲＳの送信を停止する。
【００７８】
図１０は、本実施形態に係る動作パターン１を説明するための図である。図１０では、上りリンク周波数帯における特定のリソースブロックがＤ２Ｄリソースとして割り当てられている。
【００７９】
図１０に示すように、ＵＥ１００は、ｅＮＢ２００に対して周期的にＳＲＳを送信するよう設定されている。ＵＥ１００は、ＳＲＳリソースの少なくとも一部が、Ｄ２Ｄリソースと重複する場合に、当該ＳＲＳリソースの全体においてＳＲＳの送信を停止する。図１０の例では、サブフレーム＃０、＃２、＃６、＃８は、ＳＲＳリソースに含まれる一部のリソースブロックが、Ｄ２Ｄリソースに含まれる一部のリソースブロックと重複している。よって、ＵＥ１００は、サブフレーム＃０、＃２、＃６、＃８におけるＳＲＳの送信を停止する。ＳＲＳの送信を停止することで、サブフレーム＃０、＃２、＃６、＃８におけるＤ２Ｄリソースの全てをＤ２Ｄ通信に使用できる。これに対し、サブフレーム＃４は、ＳＲＳリソースがＤ２Ｄリソースと重複しないので、ＵＥ１００は、サブフレーム＃４においてＳＲＳを送信する。
【００８０】
ただし、Ｄ２Ｄリソースと重複するＳＲＳリソースの全体においてＳＲＳの送信を停止する場合、ＳＲＳの送信機会が少なくなる可能性がある。よって、ｅＮＢ２００は、周波数方向においてＳＲＳリソースの境界とＤ２Ｄリソースの境界とが一致するように、ＳＲＳリソース及び／又はＤ２Ｄリソースの割り当てを行うことが望ましい。これにより、ＳＲＳリソースがＤ２Ｄリソースと部分的に重複することを回避できるので、ＳＲＳの送信を停止すべき状況となる頻度を下げることができる。
【００８１】
図１１は、本実施形態に係る動作パターン２を説明するための図である。図１１では、上りリンク周波数帯における特定のサブフレームの特定のリソースブロックがＤ２Ｄリソースとして割り当てられている。
【００８２】
図１１に示すように、ＵＥ１００は、ｅＮＢ２００に対して周期的にＳＲＳを送信するよう設定されている。ＵＥ１００は、ＳＲＳリソースの少なくとも一部が、Ｄ２Ｄリソースと重複する場合に、当該ＳＲＳリソースの全体においてＳＲＳの送信を停止する。図１１の例では、サブフレーム＃６、＃８は、ＳＲＳリソースに含まれる一部のリソースブロックが、Ｄ２Ｄリソースに含まれる一部のリソースブロックと重複している。よって、ＵＥ１００は、サブフレーム＃６、＃８におけるＳＲＳの送信を停止する。これに対し、サブフレーム＃０、＃２、＃４は、ＳＲＳリソースがＤ２Ｄリソースと重複しないので、ＵＥ１００は、サブフレーム＃０、＃２、＃４においてＳＲＳを送信する。
【００８３】
図１２は、本実施形態に係る動作パターン３を説明するための図である。ここでは、上述した動作パターン１との相違点を説明する。
【００８４】
図１２に示すように、ＵＥ１００は、ＳＲＳリソースの一部がＤ２Ｄリソースと重複する場合に、ＵＥ１００は、当該ＳＲＳリソースのうち当該重複する一部のみでＳＲＳの送信を停止する。図１２の例では、サブフレーム＃０、＃２、＃６、＃８は、ＳＲＳリソースに含まれる一部のリソースブロックが、Ｄ２Ｄリソースに含まれる一部のリソースブロックと重複している。よって、ＵＥ１００は、サブフレーム＃０、＃２、＃６、＃８において、ＳＲＳリソースのうちＤ２Ｄリソースと重複する一部のリソースブロックのみでＳＲＳの送信を停止する。これにより、ＳＲＳリソースのうちＤ２Ｄリソースと重複しない部分でＳＲＳを送信できる。また、ＳＲＳの送信を停止することで、サブフレーム＃０、＃２、＃６、＃８におけるＤ２Ｄリソースの全てをＤ２Ｄ通信に使用できる。
【００８５】
図１３は、本実施形態に係る動作パターン４を説明するための図である。ここでは、上述した動作パターン２との相違点を説明する。
【００８６】
図１３に示すように、ＵＥ１００は、ＳＲＳリソースの一部がＤ２Ｄリソースと重複する場合に、ＵＥ１００は、当該ＳＲＳリソースのうち当該重複する一部のみでＳＲＳの送信を停止する。図１３の例では、サブフレーム＃６、＃８は、ＳＲＳリソースに含まれる一部のリソースブロックが、Ｄ２Ｄリソースに含まれる一部のリソースブロックと重複している。よって、ＵＥ１００は、サブフレーム＃６、＃８において、ＳＲＳリソースのうちＤ２Ｄリソースと重複する一部のリソースブロックのみでＳＲＳの送信を停止する。これにより、ＳＲＳリソースのうちＤ２Ｄリソースと重複しない部分でＳＲＳを送信できる。また、ＳＲＳの送信を停止することで、サブフレーム＃６、＃８におけるＤ２Ｄリソースの全てをＤ２Ｄ通信に使用できる。
【００８７】
（６）まとめ
以上説明したように、本実施形態に係るＵＥ１００は、ＳＲＳリソースの少なくとも一部が、Ｄ２Ｄリソースと重複する場合に、ＵＥ１００は、当該ＳＲＳリソースにおけるＳＲＳの送信を停止する。これにより、ＳＲＳの送信に起因してＤ２Ｄリソースが使用不能になることを回避できるので、適切にＤ２Ｄ通信を行うことができる。また、ＳＲＳは、ｅＮＢ２００が、ＳＲＳリソースについてのチャネル特性（具体的には、ＳＲＳリソースに対応する周波数帯域のチャネル特性）を推定し、推定したチャネル特性に基づいてセルラ通信の制御を行うための参照信号である。よって、ＳＲＳリソースが、Ｄ２Ｄ通信用のＤ２Ｄリソースと重複するのであれば、当該ＳＲＳリソースについてのチャネル特性を推定する意義は薄い。言い換えると、Ｄ２Ｄリソースと重複するＳＲＳリソースでＳＲＳの送信を停止しても、適切にセルラ通信を行うことができる。したがって、本実施形態によれば、セルラ通信とＤ２Ｄ通信とを適切に共存させることができる。
【００８８】
（７）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８９】
上述した実施形態では、主として周期的（Ｐｅｒｉｏｄｉｃ）に送信されるＳＲＳを説明したが、非周期的（Ａｐｅｒｉｏｄｉｃ）に送信されるＳＲＳにも本発明を適用できる。具体的には、ＵＥ１００は、Ａｐｅｒｉｏｄｉｃに設定されたＳＲＳリソースの少なくとも一部が、Ｄ２Ｄリソースと重複する場合に、当該ＳＲＳリソースにおけるＳＲＳの送信を停止する。
【００９０】
なお、米国仮出願第６１／６７６７７７号（２０１２年７月２７日出願）の全内容が、参照により、本願明細書に組み込まれている。
【産業上の利用可能性】
【００９１】
以上のように、本発明は、セルラ通信とＤ２Ｄ通信とを適切に共存させることができるので、移動通信などの無線通信分野において有用である。
【図１】
2014017477.tif 000003
【図２】
2014017477.tif 000004
【図３】
2014017477.tif 000005
【図４】
2014017477.tif 000006
【図５】
2014017477.tif 000007
【図６】
2014017477.tif 000008
【図７】
2014017477.tif 000009
【図８】
2014017477.tif 000010
【図９】
2014017477.tif 000011
【図１０】
2014017477.tif 000012
【図１１】
2014017477.tif 000013
【図１２】
2014017477.tif 000014
【図１３】
2014017477.tif 000015
【国際調査報告】
2014017477.tif 000016
2014017477.tif 000017